(57)【要約】【課題】ディスクが高速回転することによって発生する騒音を、簡単な改造により低コストで効果的に低減する。【解決手段】筐体２前面のフロントパネル２ａに形成された開口部２ｂと、筐体２内から開口部２ｂを介してディスク１を前後方向に出し入れするディスクトレイ３と、ディスク１を回転可能に保持するディスク回転機構とを有するディスクドライブ装置において、ディスクトレイ３のディスク１を収容する載置凹部５前方の左右両側の隅部２０Ｒ，２０Ｌに、ディスク１の回転により生じる空気流をディスクトレイ３の下側に逃がす透孔２２Ｒ，２２Ｌをそれぞれ形成した。前方に向かう空気流を透孔からディスクトレイの下側に逃がすことにより、流量を半減して開口部の隙間から外に漏れる流量を減少させ、騒音を低減する。【選択図】        図４
2004265544.tif 000002
【特許請求の範囲】
【請求項１】
筐体前面のフロントパネルに形成された開口部と、筐体内から前記開口部を介して記録媒体であるディスクを前後方向に出し入れするディスクトレイと、ディスクを回転可能に保持するディスク回転機構とを有するディスクドライブ装置において、
前記ディスクトレイのディスクを収容する載置凹部前方の左右両側に、ディスクの回転により生じる空気流をディスクトレイの下側に逃がす透孔をそれぞれ形成した
ことを特徴とするディスクドライブ装置。
【請求項２】
筐体前面のフロントパネルに形成された開口部と、筐体内から前記開口部を介して記録媒体であるディスクを前後方向に出し入れするディスクトレイと、ディスクを回転可能に保持するディスク回転機構とを有するディスクドライブ装置において、
前記ディスクトレイの上部に配置されてディスクを上方から固定するディスククランパを有するクランパホルダを架設し、前記クランパホルダの前縁部の両側に、両端側ほど後方に傾斜する傾斜部を形成した
ことを特徴とするディスクドライブ装置。
【請求項３】
筐体前面のフロントパネルに形成された開口部と、筐体内から前記開口部を介して記録媒体であるディスクを前後方向に出し入れするディスクトレイと、ディスクを回転可能に保持するディスク回転機構とを有するディスクドライブ装置において、
前記ディスクトレイのディスクを収容する載置凹部前方の左右両側に、ディスクの回転により生じる空気流をディスクトレイの下側に逃がす透孔をそれぞれ形成し、かつ前記ディスクトレイの上部に配置されてディスクを上方から固定するディスククランパを有するクランパホルダを架設し、前記クランパホルダの前縁部の両側に、両端側ほど後方に傾斜する傾斜部を形成した
ことを特徴とするディスクドライブ装置。
【請求項４】
ディスクトレイのディスクを収容する載置凹部より後部に、ディスクを上方から固定するディスククランパとの干渉を避けるための凹状部を前後方向に形成し、
前記凹状部のコーナーをアール部に形成するとともに、凹部の左右側面を上方ほど幅広となる傾斜面に形成した
ことを特徴とする請求項１乃至３のいずれかに記載のディスクドライブ装置。
【発明の詳細な説明】
【０００１】
【発明の属する技術分野】
本発明は、円板状記録媒体であるディスクを回転させて情報の読み取りまたは書き込みを行うディスクドライブ装置において、ディスクの回転により発生する騒音を低減させる技術に関する。
【０００２】
【従来の技術】
円盤状記憶媒体であるディスクを回転させて情報を読み取るあるいは書き込むディスク駆動装置における回転数は、例えばコンパクトディスク（ＣＤ）の場合は２００〜５００ｒｐｍと低く、回転するディスクのスピードが騒音問題を誘発するほど速くなかった。しかし、ディスクの転送レートが向上し、ディスクを高速回転させる倍速機構が必要になると、騒音の問題が起こるようになってきた。
【０００３】
まず従来の一般的なディスク駆動装置を図５を参照して説明する。
ディスクドライブ装置の動作は、ディスク１を筐体（装置またはケース）２内に装填するために、図示していないディスクローディング機構により、ディスクトレイ３を、筐体２内に設置されたシャーシ４上から、筐体２のフロントパネル２ａの開口部２ｂを介して突出させ、この状態でディスク１をディスクトレイ３の載置凹部５上に載せる。その後、ディスクトレイ３がローディング機構により筐体２内に引き込まれてディスク１がシャーシ４内に収納される。シャーシ４の上部には、ディスククランパ７を保持するクランパホルダ６が幅方向に掛け渡されており、ディスク１は、図示しないスピンドルモータのターンテーブル上でクランパホルダ６に載置されているディスククランパ７によって磁気吸引力により固定される。なお、ディスクトレイ３の下部で、保持部材であるトラバースユニット８上には、スピンドルモータ等の回転駆動機構や光ヘッド９が設けられている。
【０００４】
次いで、スピンドルモータによりディスク１は規定の回転数で回転を始め、ディスク１の下部に配置されているトラバースユニット８上の光ヘッド９を、トラバースユニット８上に搭載された対物レンズ駆動装置により、ディスク１の半径方向に移動させて、ディスク１上に情報を書き込んだり、読み出しを行う。
【０００５】
上記従来構成によれば、データの転送レートが上がり、ディスクの周速が上がると，低速時には問題にならなかった騒音が発生する。すなわち、ディスクの高速回転に伴って発生する騒音は、回転するディスクによって発生した高速空気流がディスク１近傍の部品、例えばクランパホルダ６やディスクトレイ３のコーナーにぶつかることによって発生する渦流に起因する。
【０００６】
すなわち、図６に示すように、ディスク１が、図示していないスピンドルモータのターンテーブルとディスククランパ７により磁気吸引力で固定されたディスク１がＡ方向に回転されると、ディスク１の回転によって、ディスクに沿う空気流Ｂ，Ｄが生じる。この空気流Ｂ，Ｄの一部は、フロントパネル２ａへと激しくぶつかった後、その一部がフロントパネル２ａの開口部２ｂと前面板３ａとの僅かな上部隙間から筐体２外へと漏れ出して空気流Ｇ，Ｆとなり、また他の一部はディスク１の後方へと押し返されて空気流Ｃ，Ｅとなる。このうち、空気流Ｃはクランパホルダ６の右側前縁部６ａとぶつかり，また空気流Ｄ，Ｅはクランパホルダ６の左側前縁部６ｂとぶつかることで、それぞれ渦流を発生させて騒音の原因となっている。また、Ｆ，Ｇの流れは、開口部２ｂとディスクトレイ３の前面板（トレイエスカッション）３ａのわずかな隙間を高速空気流が通過するために、これも騒音の発生原因となっている。
【０００７】
またディスク１の後方では、ディスク１に沿う空気流Ｈ，Ｊが生じて後方へ向かう空気流Ｉが発生する。この空気流Ｉの流れは、ディスクトレイ３後部に形成されてディスククランパ７との干渉を避けるための凹状部１０などのコーナー部にぶつかることでそれぞれ渦流を発生させ、騒音の原因となっていた。
【０００８】
このようにディスクが高速回転することによって誘発される騒音問題を解決するものとして、ディスクを覆うカバーを設けたものが特許文献１に提案されている。
【０００９】
【特許文献１】
特開平１０−３２６４８２号公報
【００１０】
【発明が解決しようとする課題】
上記特許文献１では、ディスクトレイの上面を覆うカバー体を設けているが、ディスクトレイが出退移動を可能とするため、カバー体との間に僅かな隙間が発生し、この隙間からの高速空気流の漏出による騒音が効果的に抑制できないという問題があった。またカバー体を設けるためのコストなど改造に要するコストが大きいという問題があった。
【００１１】
本発明は、ディスクが高速回転することによって発生する騒音を、簡単で低コストで改造で効果的に低減することができるディスクドライブ装置を提供することを目的とする。
【００１２】
【課題を解決するための手段】
上記目的を達成するために請求項１記載の発明は、筐体前面のフロントパネルに形成された開口部と、筐体内から前記開口部を介して記録媒体であるディスクを前後方向に出し入れするディスクトレイと、ディスクを回転可能に保持するディスク回転機構とを有するディスクドライブ装置において、前記ディスクトレイのディスクを収容する載置凹部前方の左右両側に、ディスクの回転により生じる空気流をディスクトレイの下側に逃がす透孔をそれぞれ形成したものである。
【００１３】
上記構成によれば、ディスクが高速回転することによって前方に向かう高速気流の一部を、左右両側の透孔からそれぞれディスクトレイの下側に逃がすので、ディスクトレイと開口部から外部に漏出する空気流量を従来に比べて半減させることができ、騒音を低減することができる。
【００１４】
請求項２記載の発明は、筐体前面のフロントパネルに形成された開口部と、筐体内から前記開口部を介して記録媒体であるディスクを前後方向に出し入れするディスクトレイと、ディスクを回転可能に保持するディスク回転機構とを有するディスクドライブ装置において、前記ディスクトレイの上部に配置されてディスクを上方から固定するディスククランパを有するクランパホルダを架設し、前記クランパホルダの前縁部の両側に、両端側ほど後方に傾斜する傾斜部を形成したものである。
【００１５】
上記構成によれば、前方にむかう空気流がディスクトレイの前部で反射して後方クランパホルダに向かう空気流、およびディスクに沿って後方に向って発生する高速空気流は、傾斜部に衝突して左右両側方に案内されることによりスムーズに流れる。これにより渦流の発生が抑えられ、騒音の発生が低減される。
【００１６】
請求項３記載の発明は、筐体前面のフロントパネルに形成された開口部と、筐体内から前記開口部を介して記録媒体であるディスクを前後方向に出し入れするディスクトレイと、ディスクを回転可能に保持するディスク回転機構とを有するディスクドライブ装置において、前記ディスクトレイのディスクを収容する載置凹部前方の左右両側に、ディスクの回転により生じる空気流をディスクトレイの下側に逃がす透孔をそれぞれ形成し、かつ前記ディスクトレイの上部に配置されてディスクを上方から固定するディスククランパを有するクランパホルダを架設し、前記クランパホルダの前縁部の両側に、両端側ほど後方に傾斜する傾斜部を形成したものである。
【００１７】
上記構成によれば、ディスクが高速回転することによって前方に向かう高速気流の一部を、左右両側の透孔からそれぞれディスクトレイの下側に逃がすので、ディスクトレイと開口部から外部に漏出する空気流量を従来に比べて半減させることができ、騒音を低減することができる。また前方にむかう空気流がディスクトレイの前部で反射して後方クランパホルダに向かう空気流、およびディスクに沿って後方に向って発生する高速空気流は、傾斜部に衝突して左右両側方に案内されることによりスムーズに流れる。これにより渦流の発生が抑えられ、騒音の発生が低減される。
【００１８】
請求項４記載の発明は、ディスクトレイのディスクを収容する載置凹部より後部に、ディスクを上方から固定するディスククランパとの干渉を避けるための凹状部を前後方向に形成し、前記凹状部のコーナーをアール部に形成するとともに、凹部の左右側面を上方ほど幅広となる傾斜面に形成したものである。
【００１９】
上記構成によれば、ディスクに沿って発生した空気流のうち、一部は後方へ向かい、ディスクトレイの後部の凹状部に沿って後方に流れるが、この時空気流が傾斜面に沿ってスムーズに流れることで、渦流の発生が抑えられて騒音の発生が低減される。更にこの凹状部では、コーナーのアール部によって空気の流れがスムーズになることで渦の発生が抑えられ、騒音の発生が低減される。
【００２０】
【発明の実施の形態】
ここで、本発明に係るディスクドライブ装置の実施の形態を図１〜図４に基づいて説明する。なお、図５，図６に示した従来部材と同一部材には同一符号を付して説明を省略する。
【００２１】
図１に示すように、シャーシ４の上部に架設されたクランパホルダ６は、その中央部に円形の開口を介して鍔付のディスククランパ７が設けられている。このクランパホルダ６の前縁部には、中央の平行部２１Ｃの両側に、両端側ほど後方に傾斜する傾斜部２１Ｒ，２１Ｌが形成されている。すなわち、ディスククランパ３が設けられた中央の平行部２１Ｃでは一定の幅に形成され、平行部２１Ｃの終了部分から両端部かけての左右の前縁部が、端部側ほど後方となる傾斜部２１Ｒ，２１Ｌが形成されている。したがって、図４に示すように、これら傾斜部２１Ｒ，２１Ｌに向かって流れ込む空気流Ｃ’，Ｅ’が略垂直方向からに衝突するようなことが無くなり、左右両側方に案内されてスムーズに流れて渦流の発生が抑えられ、騒音の発生が低減される。
【００２２】
また図２に示すように、ディスクトレイ３には、載置凹部５の前部両側でディスクトレイ３の側縁部と前面板３ａとに囲まれた略三角形状の隅部２０Ｒ，２０Ｌに、透孔２２Ｒ，２２Ｌがそれぞれ形成されており、これら透孔２２Ｒ，２２Ｌは、隅部２０Ｒ，２０Ｌの周縁部から略一定の幅を残して相似形に形成されて、ディスク１の回転により生じる空気流Ｋ，Ｌの一部を透孔２２Ｒ，２２Ｌからディスクトレイ３の下側に逃がすように構成されている。したがって、図４に示すように、透孔２２Ｒ，２２Ｌにより、空気流Ｋ，Ｌの一部をディスクトレイ３の下側に逃がし、前面板３ａと開口部２ｂから漏出する空気流Ｇ’，Ｆ’の流量を半減させて騒音を効果的に低減することができる。
【００２３】
更に、図２，図３に示すように、ディスクトレイ３のディスク載置凹部２ｃより後方中央部に、前記ディスククランパ７との干渉を避けるために形成された凹状部２３は、両側面が従来の垂直面に代えてなだらかな傾斜面２３ａ，２３ｂに形成され、凹状部２３の上下コーナー部が円弧状断面のアール部２３ｃ，２３ｄに形成されている。これにより、高速空気流が衝突しても渦流が形成されるのを防止している。
【００２４】
上記実施の形態において、ディスク１が図示しないスピンドルモータのターンテーブル上のクランパホルダ６に載置されているディスククランパ７によって磁気吸引力により固定され、Ａ方向に回転されると、図４に簡略的に示された空気流Ｂ〜Ｌが生じる。すなわち、ディスク１の前方では、ディスク１の回転によって、ディスク１に沿う空気流Ｂ，Ｄが生じる。また、ディスク１の回転によって生じた空気流Ｂ，Ｄの一部は、ディスクトレイ３に開口された透孔２２Ｒ，２２Ｌを通ってディスクトレイ３の下方向へと流れ込む空気流Ｋ，Ｌとなる。前記透孔２２Ｒ，２２Ｌに流れ込まなかった残りの空気流は、前面板３ａにぶつかった後、その一部が前面板３ａと開口部２ｂの僅かな上下隙間から筐体２の外へと漏れ出して空気流Ｇ’，Ｆ’となり、また他の一部が前面板３ａにあたってディスク１の後方へと押し返され、空気流Ｃ’，Ｅ’となる。
【００２５】
ここで、従来例の空気流を示した図６と比較すると、空気流の総量は変わらないことから、新たな空気流Ｋ，Ｌが発生したことによって、Ｇ’＜Ｇ、Ｆ’＜Ｆ、Ｃ’＜Ｃ、Ｅ’＜Ｅの関係が成り立つ。したがって、筐体２から外部に漏れ出す空気流Ｇ’，Ｆ’により発生する騒音が従来よりも減少する。また、クランパホルダ６に衝突する空気流Ｃ’，Ｅ’の流量も減少するとともに、本発明によってクランパホルダ６に設けた傾斜部２１Ｒ，２１Ｌによって空気の流れがスムーズになることで渦流の発生が抑えられ、騒音の発生が低減される。
【００２６】
またディスク１の後方では、ディスク１に沿う空気の流れＨ，Ｊが生じる。また、ディスクの回転により生じたディスク１に沿う空気流Ｈ，Ｊの一部は後方へ向かい、空気流Ｉが生じる。この空気流Ｉは、ディスクトレイ３の後部の凹状部２３に形成された傾斜部２３ａ，２３ｂに沿って流れ、スムーズになることで渦流の発生が抑えられ、騒音の発生が低減される。更にこの凹状部２３では、コーナーのアール部２３ｃ，２３ｄによって空気の流れがスムーズになることで渦の発生が抑えられ、より効果的に騒音の発生が低減される。
【００２７】
【発明の効果】
以上に述べたごとく請求項１記載の発明によれば、ディスクが高速回転することによって前方に向かう高速気流の一部を、左右両側の透孔からそれぞれディスクトレイの下側に逃がすので、ディスクトレイと開口部から外部に漏出する空気流量を従来に比べて半減させることができ、騒音を低減することができる。
【００２８】
請求項２記載の発明によれば、前方にむかう空気流がディスクトレイの前部で反射して後方クランパホルダに向かう空気流は、ディスクに沿って後方に向って発生する高速空気流は、傾斜部に衝突して左右両側方に案内されることによりスムーズに流れる。これにより渦流の発生が抑えられ、騒音の発生が低減される。
【００２９】
請求項３記載の発明によれば、ディスクに沿って発生した空気流のうち、一部は後方へ向かい、ディスクトレイの後部の凹状部に沿って後方に流れるが、この時空気流が傾斜部に沿ってスムーズに流れることで、渦流の発生が抑えられて騒音の発生が低減される。更にこの凹状部では、コーナーのアール部によって空気の流れがスムーズになることで渦の発生が抑えられ、騒音の発生が低減される。
【図面の簡単な説明】
【図１】本発明に係るディスクドライブ装置の実施の形態を示す組立斜視図である。
【図２】同ディスクドライブ装置のディスクトレイを示す斜視図である。
【図３】図２に示すＸ−Ｘ拡大端面図である。
【図４】同ディスクドライブ装置の空気流を説明する平面図である。
【図５】従来のディスクドライブ装置を示す平面図である。
【図６】従来のディスクドライブ装置の空気流を説明する平面図である。
【符号の説明】
１    ディスク
２    筐体
２ａ  フロントパネル
２ｂ  開口部
３    ディスクトレイ
３ａ  前面板
４    シャーシ
５    載置凹部
６    クランパホルダ
６ａ  右側前縁部
６ｂ  左側前縁部
７    ディスククランパ
８    トラバースユニット
９    光ヘッド
２０Ｒ，２０Ｌ  隅部
２１Ｒ，２１Ｌ  傾斜部
２１Ｃ  平行部
２２Ｒ，２２Ｌ  透孔
２３    凹状部
２３ａ，２３ｂ  傾斜面
２３ｃ，２３ｄ  アール部
【図１】
2004265544.tif 000003
【図２】
2004265544.tif 000004
【図３】
2004265544.tif 000005
【図４】
2004265544.tif 000006
【図５】
2004265544.tif 000007
【図６】
2004265544.tif 000008